(57)【要約】【課題】ウェットグリップが改善され且つ耐摩耗性が改善されたタイヤを提供する。【解決手段】トレッドが少なくとも: 第1のジエンエラストマーとして、35から65phrまでの、トランス-1,4-ブタジエニル単位の含量がブタジエニル単位の全体の50wt%よりも多いエマルジョンスチレン/ブタジエンコポリマー(E-SBR)コポリマー; 第2のジエンエラストマーとして、35から65phrまでのポリブタジエン(BR); 必要により、第3のジエンエラストマーとして、0から30phrまでの他のジエンエラストマー; 90から150phrまでの無機補強充填剤; 及び可塑化系を含有し、可塑化系が、(i)10と60phrの間の含量Aの、Tgが20℃よりも高い炭化水素樹脂及び(ii)10と60phrの間の含量Bの、20℃で液体であり且つTgが-20℃よりも低い可塑剤を含み、A+Bが45phrよりも多い、ゴム組成物を含んでいるタイヤ。そのようなエマルジョンSBRとBRの必要とされる量での使用は、本発明のタイヤトレッド組成物において高含量の無機充填剤と可塑剤と組み合わせて、転がり抵抗を損なうことなく、対照組成物と比較してウェットグリップと耐摩耗性を改善させる。【選択図】なし【特許請求の範囲】
【請求項１】
トレッドが少なくとも:
- 第1のジエンエラストマーとして、35から65phrまでの、トランス-1,4-ブタジエニル単位の含量がブタジエニル単位の全体の50質量%よりも多いエマルジョンスチレン/ブタジエンコポリマー「E-SBR」;
- 第2のジエンエラストマーとして、35から65phrまでのポリブタジエン(BR);
- 必要により、第3のジエンエラストマーとして、0から30phrまでの他のジエンエラストマー;
- 90から150phrまでの無機補強充填剤;
- 可塑化系
を含み、可塑化系が:
- 10と60phrの間の含量Aの、Tgが20℃よりも高い炭化水素樹脂;
- 10と60phrの間の含量Bの、20℃で液体であり且つTgが-20℃よりも低い可塑剤を含み; 
- A+Bが45phrよりも多い、
ゴム組成物を含んでいるタイヤ。
【請求項２】
E-SBRのトランス-1,4-ブタジエニル単位の含量が、60%よりも多い、請求項1に記載のタイヤ。
【請求項３】
E-SBRのスチレン含量が、コポリマーの多くても50質量%に等しい、請求項1又は2に記載のタイヤ。
【請求項４】
ゴム組成物が、45から65phrまでのE-SBRを含んでいる、請求項1〜3のいずれか1項に記載のタイヤ。
【請求項５】
ゴム組成物が、35から55phrまでのBRを含んでいる、請求項1〜4のいずれか1項に記載のタイヤ。
【請求項６】
第3のジエンエラストマーが、天然ゴム、合成ポリイソプレン、ブタジエンコポリマー、イソプレンコポリマー及びこれらのエラストマーの混合物からなる群より選ばれる、請求項1〜5のいずれか1項に記載のタイヤ。
【請求項７】
A+Bが、50と100phrの間にある、請求項1〜6のいずれか1項に記載のタイヤ。
【請求項８】
炭化水素樹脂が、シクロペンタジエンホモポリマー又はコポリマー樹脂、ジシクロペンタジエンホモポリマー又はコポリマー樹脂、テルペンホモポリマー又はコポリマー樹脂、C5留分ホモポリマー又はコポリマー樹脂、C9留分ホモポリマー又はコポリマー樹脂、α-メチルスチレンホモポリマー又はコポリマー樹脂及びこれらの樹脂の混合物からなる群より選ばれる、請求項1〜7のいずれか1項に記載のタイヤ。
【請求項９】
液体可塑剤が、液体ジエンポリマー、ポリオレフィンオイル、ナフテンオイル、パラフィンオイル、DAEオイル、MESオイル、TDAEオイル、RAEオイル、TRAEオイル、SRAEオイル、鉱油、植物油、エーテル系可塑剤、エステル系可塑剤、リン酸エステル系可塑剤、スルホン酸エステル系可塑剤及びこれらの化合物の混合物からなる群より選ばれる、請求項1〜8のいずれか1項に記載のタイヤ。
【請求項１０】
液体可塑剤が、MESオイル、TDAEオイル、ナフテンオイル、植物油及びこれらのオイルの混合物からなる群より選ばれる、請求項9に記載のタイヤ。
【請求項１１】
無機補強充填剤が、シリカを含んでいる、請求項1〜10のいずれか1項に記載のタイヤ。
【請求項１２】
ゴム組成物が、カーボンブラックとシリカの混合物を含んでいる、請求項11に記載のタイヤ。
【発明の詳細な説明】
【技術分野】
【０００１】
本発明は、タイヤトレッド及びそのようなタイヤトレッドの製造に使用し得るジエンエラストマーをベースにしたゴム組成物に関する。
【背景技術】
【０００２】
タイヤトレッドは、知られているように、低転がり抵抗、高耐摩耗性及び高ドライグリップと高ウェットグリップの双方が含まれる多くのしばしば相反する技術的要求に応じなければならない。
特に転がり抵抗と耐摩耗性の観点からの特性におけるこの妥協は、特に、補強力の観点から従来のタイヤグレードカーボンブラックに対抗できる補強充填剤として記載される特定の無機充填剤、特に高分散性シリカ(HDS)によって主に補強されている特徴を有する新規な低ヒステリシスゴム組成物の使用によって、特に乗用車を意図した省エネルギー「グリーンタイヤ」に関して近年改善することができた。
【発明の概要】
【発明が解決しようとする課題】
【０００３】
転がり抵抗を損なうことまでのない、ウェットグリップと耐摩耗性の特性の改善が、現在、タイヤ設計者の継続的な関心である。
【課題を解決するための手段】
【０００４】
この研究を続けているときに、出願人は、タイヤトレッドとして、上記の目的を達成することを可能にする特定のゴム組成物を発見した。
従って、本発明の第1の主題は、トレッドが少なくとも:
- 第1のジエンエラストマーとして、35から65phrまでの、トランス-1,4-ブタジエニル単位の含量がブタジエニル単位の全体の50質量%よりも多いエマルジョンスチレン/ブタジエンコポリマー「E-SBR」;
- 第2のジエンエラストマーとして、35から65phrまでのポリブタジエン(BR);
- 必要により、第3のジエンエラストマーとして、0から30phrまでの他のジエンエラストマー;
- 90から150phrまでの無機補強充填剤;
- 可塑化系
を含み、可塑化系が:
- 10と60phrの間の含量Aの、Tgが20℃よりも高い炭化水素樹脂;
- 10と60phrの間の含量Bの、20℃で液体であり且つTgが-20℃よりも低い可塑剤を含み;
- A+Bが45phrよりも多い、
ゴム組成物を含んでいるタイヤである。
本発明のタイヤは、特に、4×4車(四輪駆動を有する)及びSUV車(スポーツ用多目的車)が含まれる旅客輸送タイプの自動車、二輪車(特にオートバイ)だけでなく、特にバン及び大型車両、例えばバス又は大型運搬車両、例えばローリーから選ばれる産業車両に装着することを意図する。
本発明及びその利点は、以下の説明及び実施例に照らして容易に理解されるであろう。
【発明を実施するための形態】
【０００５】
I - 用いられる測定及び試験
I.1 - 濡れた路面でのブレーキング
ウェットグリップ試験は、ABSブレーキシステムを備えた「フォルクスワーゲン」メイク及び「ゴルフ6」モデルの自動車のフロントとリアにタイヤを装着することからなる。タイヤをノミナル圧に膨らませる。試験の周囲温度は、25℃である。80km/hから10km/hになるのに必要な距離を、水を噴霧した路面(アスファルトコンクリート)上の直線で急ブレーキにおいて測定する。任意に100に設定した対照タイヤよりも大きい値は、改善された結果を示す。すなわち対照タイヤよりもブレーキ距離が短い。
I.2 - 転がり抵抗
ISO 87-67(1992)法に従って、タイヤの転がり抵抗を回転するドラムで測定する。任意に100に設定した対照タイヤよりも大きい値は、改良された結果を示す。すなわち対照タイヤよりも転がり抵抗が小さい。
I.3 - 耐摩耗性
走行による摩耗がトレッドの溝に位置決めされた摩耗インジケーターに到達するまで、タイヤを特定の自動車による実際のオンロード走行に供する。任意に100に設定した対照タイヤよりも大きい値は、改良された結果を示す。すなわち対照タイヤよりも走行距離が長い。
【０００６】
II - 発明の詳細な説明
本説明において、特に明確に断らない限り、示されるパーセント(%)は全て質量パーセントで表されている。
「ジエン」エラストマー(又はゴムと区別せず)は、ジエンモノマー(1つ又は複数)(すなわち、2つの共役又は非共役炭素-炭素二重結合を有する)から少なくとも部分的に得られるエラストマー(すなわち、ホモポリマー又はコポリマー)を意味すると理解される。「イソプレンエラストマー」は、イソプレンホモポリマー又はコポリマー、言い換えれば天然ゴム(NR)、合成ポリイソプレン(IR)、イソプレンの種々のコポリマー及びこれらのエラストマーの混合物からなる群より選ばれるジエンエラストマーを意味すると理解される。
略号「phr」は、エラストマー又はゴム(いくつかのエラストマーが存在する場合には、エラストマーの合計)の百部当たりの質量部を意味する。
更にまた、表現「aとbの間」が示す値の間隔はaよりも大きい値からbよりも小さい値までの範囲を表す(即ち、aとbの限度を除く)が、表現「aからbまで」はa値からb値までの範囲を意味する(即ち、厳密な限度aとbを含む)。
ガラス転移温度(「Tg」)の値は全て、乾燥及び非架橋状態のエラストマーについて、ASTM規格 D3418(1999)に従って、DSC(示差走査熱量測定)によって知られているように測定される。エラストマーのミクロ構造は、エラストマーの供給元に周知のことであり、特にNMR分析又はIR分析によって決定可能である。
従って、本発明のタイヤは、そのトレッドがポリブタジエンとのブレンドとして少なくとも1つの特定のエマルジョンスチレン/ブタジエンコポリマー、少なくとも1つの無機補強充填剤及び少なくとも1つの特定の可塑化系を含むゴム組成物を含んでいる本質的特徴を有し、これらの成分を以下に詳細に記載する。
【０００７】
II.1 - ジエンエラストマー
本発明のタイヤのトレッドの組成物は、第1のジエンエラストマーとして、35から65phrまでの、トランス-1,4-ブタジエニル単位の含量がブタジエニル単位(確認として、1,2-、シス-1,4-及びトランス-1,4-単位)の全体の50質量%よりも多いエマルジョンスチレン/ブタジエンコポリマー(E-SBR)、及び第2のジエンエラストマーとして、35から65phrまでのポリブタジエンを含む本質的特徴を有する。好ましくは、E-SBR含量は45から65phrまでであり、好ましくは、BR含量は35から55phrまでである。
好ましくは、E-SBRコポリマーは、60質量%よりも多い、より好ましくは60%と80質量%の間のブタジエニル単位の全体を含んでいる。
本発明の他の好ましい実施態様によれば、上記のE-SBRのスチレン含量は、E-SBRコポリマーの多くても50%(E-SBRの質量%)、より好ましくは10%と50%の間、なおより好ましくは20%から45%までの範囲にある。
E-SBRコポリマーとしても知られるエマルジョンSBRコポリマーは、タイヤ及びゴムの当業者によく知られているコポリマーである。エマルジョンSBRコポリマーは、特にスチレンブロック及びブタジエンブロックを含む熱可塑性タイプのコポリマーと対照的に、ランダムジエンコポリマーであり; エマルジョンSBRコポリマーは、一般的にはコールドプロセスに従って、水及び乳化剤の存在下でエマルジョンとして重合される。特に、1500シリーズ(油で増量されていない)又は1700のシリーズ(油で増量されている、例えばSBR 1723、SBR 1732、SBR 1739))が挙げられ得る。これらのTgは、好ましくは-65℃と-25℃の間にある。
【０００８】
当業者は、スチレン及びブタジエンをベースにしたコポリマー、特にE-SBRのミクロ構造をどのように変性させるかを知っており、特に、スチレン、ブタジエン部分の1,2-結合又はトランス-1,4-結合の含量を変化させることによって、コポリマーのTgを上げ調整する。
本発明のタイヤのトレッドの組成物は、第2のジエンエラストマーとして、35から65phrまでのポリブタジエン、特に1,2-単位の含量(モル%)が4%と80%の間のもの又はシス-1,4-単位の含量(モル%)が80%よりも多く、より好ましくは90%よりも多いものを含む他の本質的特徴を有する。
上記のE-SBRコポリマー及びポリブタジエンは、必要により、第1ジエンエラストマー及び第2のジエンエラストマーと異なる、少なくとも1つの第3のジエンエラストマーと組み合わせることができ、その質量含量は0から30phrまで範囲にある。より好ましくは、第3のジエンエラストマーの含量は10から30phrまで範囲にある。
この第3のジエンエラストマーは、必要により、好ましくは、天然ゴム(NR)、合成ポリイソプレン(IR)、ブタジエンコポリマー、イソプレンコポリマー及びこれらのエラストマーの混合物からなる群より選ばれ; そのようなコポリマーは、より好ましくは、(高トランス含量を有する第1のジエンエラストマー以外の)スチレン/ブタジエンコポリマー(SBR)、イソプレン/ブタジエンコポリマー(BIR)及びイソプレン/スチレンコポリマー(SIR)からなる群より選ばれる。
【０００９】
この第3のジエンエラストマーは、場合により、任意のミクロ構造を有してもよく、これは、用いられる重合条件、特に、変性剤及び/又はランダム化剤の有無及び使われる変性剤及び/又はランダム化剤の量に左右される。第3のエラストマーは、例えば、ブロックエラストマー、ランダムエラストマー、逐次エラストマー又は微小逐次エラストマーであり、分散状態で又は溶解状態で調製されてもよく; 第3のエラストマーは、カップリング剤及び/又は星状枝分れ剤又は官能基化剤でカップリング及び/又は星状枝分れ或いは官能化され得る。第3のエラストマーの中で、ポリイソプレンホモポリマー(IR); 溶液ブタジエン/スチレンコポリマー(SBR)、特に、Tgが0℃と-70℃の間、より詳しくは-10℃と-60℃の間にあり、スチレン含量が5%と60質量%の間、より詳しくは20%と50%の間にあり、ブタジエン部分の1,2-結合の含量が4%と75%の間にあり、且つトランス-1,4-結合の含量が10%と80%の間にあるもの; ブタジエン/イソプレンコポリマー(BIR)、特に、イソプレン含量が5%と90質量%の間にあり且つTgが-40℃から-80℃までを有するもの; 又はイソプレン/スチレンコポリマー(SIR)、特に、スチレン含量が5%と50質量%の間にあり且つTgが-50℃と-5℃の間にあるものが特に適している。
他の好ましい実施態様によれば、第3のジエンエラストマーは、イソプレンエラストマー、より好ましくは天然ゴム又はシス-1,4-タイプの合成ポリイソプレン、種々のイソプレンコポリマー及びこれらのエラストマーの混合物であり; これらの合成ポリイソプレンの中で、シス-1,4-結合の含量(モル%)が好ましくは90%よりも多く、より好ましくは98%よりも多いポリイソプレンが使われる。
上記のジエンエラストマーは、ジエンエラストマー以外の合成エラストマー、実際にエラストマー以外のポリマーさえも、例えば熱可塑性ポリマーと少量で併用されてもよい。
【００１０】
II.2 - 無機補強充填剤
本発明のタイヤのトレッドの組成物は、無機補強充填剤(例えばシリカ)を90から150phrまで、好ましくは105から145phrまでの割合で含む本質的特徴を有する。
「無機補強充填剤」は、カーボンブラックとは対照的に、それ自体単独で、中間カップリング剤以外の手段によることなく、タイヤの製造を意図するゴム組成物を補強することができ、言い換えれば、その補強役割において従来のタイヤグレードカーボンブラックを置き換えることができる「白色充填剤」、「透明充填剤」又は「非黒色充填剤」としてさえも知られている、その色合及びその由来(天然か合成か)の如何にかかわらない任意の無機又は鉱質充填剤を意味するものと理解すべきであり; そのような充填剤は、一般的には、知られているように、その表面でのヒドロキシル(-OH)基の存在に特徴を有する。
シリカ質タイプの鉱質充填剤、好ましくはシリカ(SiO2)は、特に無機補強充填剤として適している。用いられるシリカは、当業者に知られている任意の補強性シリカ、特にBET比表面積とCTAB比表面積が共に450m2/g未満、好ましくは30から400m2/gまで、特に60と300m2/gの間にある任意の沈降又は焼成シリカであり得る。高分散性沈降シリカ(「HDS」)として、例えば、Degussa製のUltrasil 7000及びUltrasil 7005シリカ、Rhodia製のZeosil 1165MP、1135MP及び1115MPシリカ、PPG製のHi-Sil EZ150Gシリカ、Huber製のZeopol 8715、8745及び8755シリカ又は出願の国際出願第03/16837号パンフレットに記載されているような高比表面積を有するシリカが挙げられる。無機補強充填剤として、アルミニウムタイプの鉱質充填剤、特にアルミナ(Al2O3)又は(酸化)水酸化アルミニウム、或いは補強性酸化チタンも挙げられる。
【００１１】
本発明の好ましい実施態様によれば、無機補強充填剤は、50%から100質量%までのシリカを含み; 言い換えれば、シリカは、50%から100質量%までの無機補強充填剤を表している。
他の性質の補強充填剤、特に有機的性質、例えばカーボンブラックも、本項に記載されている無機補強充填剤に等価な充填剤として用いられ得るが、この補強充填剤が無機層、例えばシリカで覆われているか、或いはその表面に官能基部位、特にヒドロキシルを含み、充填剤とエラストマー間の結合を形成するためにカップリング剤の使用を必要とすることを当業者は理解するであろう。一例として、例えば、特許文献の国際公開第96/37547号パンフレットや同第99/28380号パンフレットに記載されているようなタイヤ用のカーボンブラックが挙げられ得る。
有利な実施態様によれば、トレッドの組成物はカーボンブラックを含み得る。カーボンブラックが存在する場合には、カーボンブラックは、好ましくは20phr未満、より好ましくは10phr未満(例えば、0.5と20phrの間、特に2と10phrの間)の含量で用いられる。指示された間隔の範囲内で、更に無機補強充填剤によって導入される性能を不利にすることなく、カーボンブラックの着色特性(ブラック顔料分散剤)及びUV安定化特性から利点が誘導される。
【００１２】
よく知られているように、無機補強充填剤をジエンエラストマーにカップリングするために、無機充填剤(その粒子の表面)とジエンエラストマーの間に、化学的及び/又は物理的性質の満足な結合を与えることを意図したカップリング剤(又は結合剤)が使われる。このカップリング剤は、少なくとも二官能性である。特に少なくとも二官能性オルガノシラン又はポリオルガノシロキサンが使われる。
特に、例えば、出願の国際公開第03/002648号パンフレット(又は米国特許出願公開第2005/016651号明細書)や国際公開第03/002649号パンフレット(又は米国特許出願公開第2005/016650号明細書)に記載されているような特定の構造に従って「対称」又は「非対称」と呼ばれるシランポリスルフィドが使われる。
下記の一般式(I)に対応するシランポリスルフィドが特に適しているが、下記の定義に限定されない:
(I)         Z - A - Sx - A - Z
[式中、
- xは、2から8まで(好ましくは2から5まで)の整数であり;
- Aは、同じか又は異なり、二価の炭化水素基(好ましくはC1-C18アルキレン基又はC6-C12アリーレン基、より詳しくはC1-C10、特にC1-C4アルキレン、特にプロピレン)であり;
- Zは、同じか又は異なり、3つの下記式の1つに対応する:
【００１３】
【化１】
2014518912.tif 000002
【００１４】
(式中、
-  R1基は、置換されているか又は置換されていない且つ相互に同じか又は異なり、C1-C18アルキル基、C5-C18シクロアルキル基又はC6-C18アリール基(好ましくはC1-C6アルキル基、シクロヘキシル基又はフェニル基、特にC1-C4アルキル基、より詳しくはメチル及び/又はエチル)を表し; 
-  R2基は、置換されているか又は置換されていない且つ相互に同じか又は異なり、C1-C18アルコキシル基又はC5-C18シクロアルコキシル基(好ましくはC1-C8アルコキシル及びC5-C8シクロアルコキシルより選ばれる基、より好ましくはC1-C4アルコキシル、特にメトキシル及びエトキシルより選ばれる基を表す)]。
【００１５】
上記の式(I)に対応するアルコキシシランポリスルフィドの混合物、特に市販の標準混合物の場合には、「x」の平均値は、好ましくは2と5の間、より好ましくは約4の部分的数字である。しかしながら、本発明は、有利には、例えば、アルコキシシランジスルフィド(x = 2)によっても行われ得る。
シランポリスルフィドの例として、より詳しくは、ビス((C1-C4)アルコキシル(C1-C4)アルキルシリル(C1-C4)アルキル)ポリスルフィド(特にジスルフィド、トリスルフィド又はテトラスルフィド)、例えば、ビス(3-トリメトキシシリルプロピル)ポリスルフィド又はビス(3-トリエトキシシリルプロピル)ポリスルフィドが挙げられる。特に、これらの化合物の中で、式[(C2H5O)3Si(CH2)3S2]2のTESPTと略記されるビス(3-トリエトキシシリルプロピル)テトラスルフィド、又は式[(C2H5O)3Si(CH2)3S]2のTESPDと略記されるビス(トリエトキシシリルプロピル)ジスルフィドが使われる。好ましい例として、ビス(モノ(C1-C4)アルコキシルジ(C1-C4)アルキルシリルプロピル)ポリスルフィド(特にジスルフィド、トリスルフィド又はテトラスルフィド)、より詳しくはビス(モノエトキシジメチルシリルプロピル)テトラスルフィド)、例えば上述の特許出願の国際公開第02/083782号パンフレット(又は米国特許第7 217 751号明細書)に記載されているものも挙げられる。
【００１６】
特に、アルコキシシランポリスルフィド以外のカップリング剤の例として、二官能性POS(ポリオルガノシロキサン)、或いはヒドロキシシランポリスルフィド(上記式IにおいてR2 = OH)、例えば特許出願の国際公開第02/30939号パンフレット(又は米国特許第6 774 255号明細書)、国際公開第02/31041号パンフレット(又は米国特許出願公開第2004/051210号明細書)、国際公開第2007/061550号パンフレットに記載されているもの、或いはアゾジカルボニル官能基をもつシラン又はPOS、例えば特許出願の国際公開第2006/125532号パンフレット、同第2006/125533号パンフレット、同第2006/125534号パンフレットに記載されているものが挙げられる。
他のシランスルフィドの例として、例えば、少なくとも1つのチオール(-SH)官能基(メルカプトシランと呼ばれる)及び/又は少なくとも1つのマスクされたチオール官能基をもつシラン、例えば、特許又は特許出願の米国特許第6849754号明細書、国際公開第99/09036号パンフレット、同第2006/023815号パンフレット、同第2007/098080号パンフレット、同第2008/055986号パンフレット、同第2010/072685号パンフレットに記載されているものが挙げられる。
勿論、特に上述の出願の国際公開第2006/125534号パンフレットに記載されているように、上記カップリング剤の混合物が使われてもよい。
カップリング剤の含量は、好ましくは2と20phrの間、より好ましくは3と15phrの間にある。
【００１７】
II.3 - 可塑化系
本発明のタイヤのトレッドの組成物は:
- 10と60phrの間の含量Aの、Tgが20℃よりも高い炭化水素樹脂;
- 10と60phrの間の含量Bの、20℃で液体であり且つTgが-20℃よりも低い可塑剤を含み;
- A＋Bが45phrよりも多い
可塑化系を含むその他の本質的特徴を有する。
好ましくは、可塑化系A＋Bの全体の含量は、50と100phrの間、より好ましくは50と85phrの間にある。
液体可塑剤は、20℃で液体であり; 液体可塑剤は、「低Tg」可塑剤、すなわち、Tgが-20℃未満、好ましくは-40℃未満であるものとして記載される。
芳香族性にしても非芳香族性にしても任意の伸展油、ジエンエラストマーに関してその可塑化特性が知られている任意の液体可塑剤が使用し得る。周囲温度(20℃)で、これらの可塑剤又はこれらの油は、多少粘稠ではあるが、特に本来周囲温度で固体である可塑化用炭化水素樹脂と対照的に、液体(即ち、確認として、容器の形状を最終的にとる能力を有する物質)である。
芳香族性にしても非芳香族性にしても任意の伸展油、ジエンエラストマーに関してその可塑化特性が知られている任意の液体可塑剤が使用し得る。周囲温度(20℃)で、これらの可塑剤又はこれらの油は、多少粘稠ではあるが、特に本来周囲温度で固体である可塑化用炭化水素樹脂と対照的に、液体(即ち、確認として、容器の形状を最終的にとる能力を有する物質)である。
液体ジエンポリマー、ポリオレフィンオイル、ナフテンオイル、パラフィンオイル、DAE(芳香族抽出留分)オイル、MES(中度抽出溶媒和物)オイル、TDAE(芳香族抽出留分処理)オイル、RAE(芳香族抽出残留分)オイル、TRAE(芳香族抽出残留分処理)オイル、SRAE(安全芳香族抽出残留分)オイル、鉱油、植物油、エーテル系可塑剤、エステル系可塑剤、リン酸エステル系可塑剤、スルホン酸エステル系可塑剤及びこれらの化合物の混合物からなる群より選ばれる液体可塑剤が特に適している。より好ましい実施態様によれば、液体可塑剤は、MESオイル、TDAEオイル、ナフテンオイル、植物油及びこれらのオイルの混合物からなる群より選ばれる。
本発明の好ましい実施態様によれば、液体可塑剤、特に石油は、非芳香族タイプを有する。液体可塑剤は、IP 346方法に従ってDMSO抽出物によって定量した多環式芳香族化合物の含量が可塑剤の全質量に対して3質量%未満であるときに、非芳香族と言われる。それ故、好ましくは、MESオイル、TDAEオイル、ナフテンオイル(低粘度又は高粘度、特に水素化又は非水素化された)、パラフィンオイル及びこれらのオイルの混合物からなる群より選ばれる液体可塑剤が使われ得る。RAEオイル、TRAEオイル及びSRAEオイル又はこれらのオイルの混合物は、低含量の多環式化合物を含有し、石油としても適している。
【００１８】
他の個々の実施態様によれば、液体可塑剤は、テルペン誘導体であり; 一例として、特にYasuharaの製品Dimaroneが挙げられ得る。
オレフィン又はジエンの重合から得られる液体ポリマー、例えば、ポリブテン、ポリジエン、特にポリブタジエン、ポリイソプレン、ブタジエンとイソプレンのコポリマー、ブタジエン又はイソプレンとスチレンのコポリマー、及びこれらの液体ポリマーの混合物からなる群より選ばれるものも適している。そのような液体ポリマーの数平均分子量は、好ましくは500g/モルから50 000g/モルまで、より好ましくは1000g/モルから10 000g/モルまでの範囲内にある。特に、一例として、SartomerのRicon製品が挙げられ得る。
本発明の他の好ましい実施態様によれば、液体可塑剤は植物油である。好ましくは、アマニ油、ベニバナ油、ダイズ油、トウモロコシ油、綿実油、アブラナ油、ヒマシ油、キリ油、パイン油、ヒマワリ油、パーム油、オリーブ油、ココナツ油、ピーナッツ油及びブドウ種子油、及びこれらの油の混合物からなる群より選ばれる油、特にヒマワリ油が使われる。この植物油、特にヒマワリ油は、より好ましくは、オレイン酸の豊富な油である。すなわち、植物油が誘導する脂肪酸(又は数種が存在する場合には脂肪酸の全て)は質量部分の少なくとも60%、より好ましくは少なくとも70%、特に80%以上のオレイン酸を含んでいる。
本発明の他の個々の実施態様によれば、液体可塑剤は、エーテルであり; 例えば、ポリエチレングリコール又はポリプロピレングリコールが挙げられ得る。
【００１９】
エステル系可塑剤、リン酸エステル系可塑剤、スルホン酸エステル系可塑剤及びこれらの化合物の混合物からなる群より選ばれる液体可塑剤も適している。カルボン酸トリエステル、リン酸トリエステル又はスルホン酸トリエステル及びこれらのトリエステルの混合物からなる群より選ばれるトリエステルが特に適している。特に、カルボン酸エステル系可塑剤の例として、トリメリット酸エステル、ピロメリット酸エステル、フタル酸エステル、1,2-シクロヘキサンジカルボン酸エステル、アジピン酸エステル、アゼライン酸エステル、セバシン酸エステル、グリセロールトリエステル及びこれらの化合物の混合物からなる群より選ばれる化合物が挙げられ得る。特に、トリエステルの中で、好ましくは主に(50質量%を超える、より好ましくは80質量%を超える場合)C18不飽和脂肪酸から構成される、すなわち、オレイン酸、リノール酸、リノレン酸及びこれらの酸の混合物からなる群より選ばれるグリセロールトリエステルを挙げることができ; より好ましくは、グリセロールトリエステルが合成由来にしても天然由来にしても、用いられる脂肪酸が、60質量%を超える、より好ましくは70質量%を超えるオレイン酸から構成され; 天然由来又は合成由来の、高含量のオレイン酸を有するそのようなトリエステル(トリオレエート)がよく知られており; トリエステルが、タイヤ用のトレッドの可塑剤として、例えば出願の国際公開第02/088238号パンフレットに記載されている。リン酸エステル系可塑剤として、例えば、12個と30個の間の炭素原子を含むもの、例えばトリオクチルホスフェートが挙げられ得る。
【００２０】
炭化水素樹脂のTgは、20℃よりも高い。
呼称「樹脂」は、本特許出願において、定義上、特に上記液体可塑剤とは対照的に、周囲温度(20℃)で固体である化合物として貯蔵される。
炭化水素樹脂は、当業者によく知られており、本質的に炭素と水素がベースであるが他のタイプの原子を含むことができるポリマーであり、特にポリマーマトリックスにおける可塑剤又は粘着付与剤として使用し得る。炭化水素樹脂は、真の希釈剤として作用するように、意図するポリマー組成物と用いられる含量で本来混和性(すなわち、相溶性)である。炭化水素樹脂は、例えば、R. Mildenberg、M. Zander及びG. Collinによる「炭化水素樹脂」と題する研究(New York, VCH, 1997, ISBN 3-527-28617-9)に記載されており、それの第5章は、特にタイヤゴム分野における用途で占められている(5.5.「Rubber Tires and Mechanical Goods」)。炭化水素樹脂は、脂肪族/芳香族タイプの、すなわち、脂肪族モノマー及び/又は芳香族モノマーがベースの脂肪族、脂環式、芳香族、水素化芳香族であり得る。炭化水素樹脂は、石油がベースの又はベースでない天然又は合成であり得る(それが事実であれば、石油樹脂の名前としても知られている)。炭化水素樹脂のTgは、好ましくは30℃よりも高く、特に30℃と95℃の間にある。
知られているように、これらの炭化水素樹脂は、また、加熱されるときに軟化するので成形され得る意味で熱可塑性樹脂と記載され得る。炭化水素樹脂は、また、軟化点又は軟化温度によっても定義され得る。炭化水素樹脂の軟化点は、そのTg値よりも一般的には約50から60℃だけ高い。軟化点は、ISO規格 4625(環球法)に従って測定される。マクロ組織(Mw、Mn及びPI)は、下記に示されるようにサイズ排除クロマトグラフィ(SEC)によって定量される。
【００２１】
確認として、SEC分析は、例えば、多孔質ゲルで充填したカラムを通ったサイズに従って高分子を溶解状態で分離することからなり; 分子はその流体力学的容積に従って分離され、最も大きなものが最初に溶離されるものである。分析すべき試料を、あらかじめ適切な溶媒、テトラヒドロフランに1g/リットルの濃度で簡単に溶解する。次に、その溶液を0.45μmの多孔性を有するフィルタでろ過した後、装置に注入する。用いられる装置は、例えば、下記の条件によるWaters Allianceクロマトグラフラインである: 溶出溶媒: テトラヒドロフラン; 温度35℃; 濃度1g/リットル; 流量: 1ml/分; 注入される容積: 100μl; ポリスチレン標準によるMooreキャリブレーション; 連続した3つのWatersカラムのセット(Styragel HR4E、Styragel HR1及びStyragel HR 0.5); オペレーティングソフトウェア(例えば、Waters Milenium)を備え得る示差屈折計(例えば、Waters 2410)によって検出。
分析すべき質量の範囲がカバーされている分子量が知られた低PI(1.2未満)を有する一連の市販ポリスチレン標準によってMooreキャリブレーションが行われる。質量平均分子量(Mw)、数平均分子量(Mn)及び多分散指数(PI = Mw/Mn)は、記録されるデータから推論される(分子量の質量による分布曲線)。従って、本特許出願に示される分子量の値は全て、ポリスチレン標準によって作成されたキャリブレーション曲線に相対する。
【００２２】
本発明の好ましい実施態様によれば、炭化水素樹脂は、下記の特性の少なくともいずれか1つ、より好ましくは全てを示す:
- Tgが20℃よりも高い(特に30℃と100℃の間)、より好ましくは30℃よりも高い(特に30℃と95℃の間);
- 軟化点が50℃よりも高い(特に50℃と150℃の間);
- 数平均分子量(Mn)が400と2000g/モルの間、好ましくは500と1500g/モルの間にある;
- 多分散指数(PI)が3未満、好ましくは2未満(確認として: PI = Mw/Mn、Mwは質量平均分子量である)。
そのような炭化水素樹脂の例として、シクロペンタジエン(CPDと略記される)ホモポリマー又はコポリマー樹脂、ジシクロペンタジエン(DCPDと略記される)ホモポリマー又はコポリマー樹脂、テルペンホモポリマー又はコポリマー樹脂、C5留分ホモポリマー又はコポリマー樹脂、C9留分ホモポリマー又はコポリマー樹脂、α-メチルスチレンホモポリマー又はコポリマー樹脂及びこれらの樹脂の混合物からなる群より選ばれるものが挙げられ得る。より詳しくは、上記のコポリマー樹脂の中で、(D)CPD/ビニル芳香族コポリマー樹脂、(D)CPD/テルペンコポリマー樹脂、テルペン/フェノールコポリマー樹脂、(D)CPD/C5留分コポリマー樹脂、(D)CPD/C9留分コポリマー樹脂、テルペン/ビニル芳香族コポリマー樹脂、テルペン/フェノールコポリマー樹脂、C5留分/ビニル芳香族コポリマー樹脂及びこれらの樹脂の混合物からなる群より選ばれるものが挙げられ得る。
【００２３】
用語「テルペン」は、ここで、知られているように、α-ピネン、β-ピネン及びリモネンのモノマーを合わせたものであり; 好ましくは、知られているように、化合物が3つの可能な異性体: L-リモネン(左旋性エナンチオマー)、D-リモネン(右旋性エナンチオマー)或いはジペンテン、右旋性と左旋性のエナンチオマーのラセミ体の形で存在するリモネンモノマーが使われる。ビニル芳香族モノマーとして、例えば: スチレン、α-メチルスチレン、オルトメチルスチレン、メタメチルスチレン、パラメチルスチレン、ビニルトルエン、パラ(tert-ブチル)スチレン、メトキシスチレン、クロロスチレン、ヒドロキシスチレン、ビニルメシチレン、ジビニルベンゼン、ビニルナフタレン又はC9留分(又はより一般的にはC8からC10までの留分)から得られる任意のビニル芳香族モノマーが適している。
より詳しくは、(D)CPDホモポリマー樹脂、(D)CPD/スチレンコポリマー樹脂、ポリリモネン樹脂、リモネン/スチレンコポリマー樹脂、リモネン/D(CPD)コポリマー樹脂、C5留分/スチレンコポリマー樹脂、C5留分/C9留分コポリマー樹脂及びこれらの樹脂の混合物からなる群より選ばれる樹脂が挙げられ得る。
上記の樹脂は全て当業者に周知であり、市販され、例えばポリリモネン樹脂に関してはDercolyteの名称でDRTから、C5留分/スチレン樹脂又はC5留分/C9留分樹脂に関してはSuper Nevtacの名称でNeville Chemical社から、Hikorezの名称でKolonから又はEscorezの名称でExxon Mobilから、或いは40 MS又は40 NS(芳香族及び/又は脂肪族樹脂の混合物)の名称でStruktolから販売されている。
【００２４】
II.4 - 各種添加剤
本発明のタイヤのトレッドのゴム組成物は、また、トレッドの製造を意図するエラストマー組成物に一般に用いられる通常の添加剤の全部又は一部、例えば、顔料、保護剤(抗オゾンワックス、化学オゾン劣化防止剤又は酸化防止剤等)、上記以外の他の可塑剤、疲労防止剤、補強用樹脂、メチレン受容体(例えば、フェノールノボラック樹脂)又はメチレン供与体(例えば、HMT又はH3M)、硫黄、又は硫黄供与体及び/又はペルオキシド及び/又はビスマレイミドをベースとした架橋系、加硫促進剤又は加硫活性剤を含む。
これらの組成物は、また、カップリング剤に加えて、カップリング活性剤、知られているように、ゴムマトリックス中の充填剤の分散の改善且つ組成物の粘度の低下によって、生状態において加工の容易さを改善できる無機充填剤又はより一般的には加工助剤を包含する物質を含んでもよく、これらの物質は、例えば、加水分解性シラン、アルキルアルコキシシラン等、ポリオール、ポリエーテル、第一級、第二級又は第三級アミン、又はヒドロキシル化又は加水分解性ポリオルガノシロキサンである。
【００２５】
II.5 - ゴム組成物の調製
本発明のタイヤのトレッドに用いられる組成物は、当業者に周知の2連続段階の調製: 110℃と190℃の間、好ましくは130℃と180℃の間の最高温度までの高温で熱機械加工又は混練する第1段階(「非生産」段階)、次に典型的には110℃未満、例えば、40℃と100℃の間の低めの温度で機械加工する第2段階(「生産」段階)を用いて適切なミキサー内で製造することができ、その最終段階の間に化学架橋系が組み入れられている。
そのような組成物を調製する方法は、例えば、下記の段階:
- ジエンエラストマー(E-SBR、BR及び必要により第3のジエンエラストマー)を無機補強充填剤、カップリング剤、適切な場合にはカーボンブラック及び可塑化系と110℃と190℃の間の最高温度に達するまで熱機械的に混練する(例えば1回以上で進行する)段階(「非生産」段階);
- 合わせた混合物を100℃未満の温度に冷却する段階;
- 引き続き、第2段階(「生産」段階)の間に、架橋系を組み込む段階;
- 全てを110℃未満の最高温度まで混練する段階
を含む。
一例として、非生産段階は、1回の熱機械的段階で行われ、その間に、第1の工程では、ベース成分(ジエンエラストマー、可塑化系、無機補強充填剤及びカップリング剤)全てを、適切なミキサー、例えば標準密閉型ミキサーに導入し、続いて、第2の工程では、例えば1から2分間混練した後、架橋系を除く、その他の添加剤、充填剤を包含する必要により追加の物質又は必要により追加の加工助剤を導入する。この非生産段階における合計混練時間は、好ましくは1と15分の間の時間である。
【００２６】
このようにして得られた混合物を冷却した後に、低温に(例えば40℃と100℃の間に)維持された開放型ミキサー、例えば開放型ミルにおいて架橋系が組み入れられる。次に、合わせた混合物が数分間、例えば2と15分の間に混合される(生産段階)。
適切な架橋系は、好ましくは硫黄や一次加硫促進剤、特にスルフェンアミドタイプの促進剤をベースとしている。知られている種々の二次加硫促進剤又は加硫活性剤、例えば、酸化亜鉛、ステアリン酸、グアニジン誘導体(特にジフェニルグアニジン)等がこの加硫系に添加されるようになり、第1の非生産段階の間及び/又は生産段階の間に組み込まれる。硫黄含量は、好ましくは0.5と3.0phrの間にあり、一次促進剤の含量は、好ましくは0.5と5.0phrの間にある。
(一次又は二次)促進剤として、硫黄の存在下にジエンエラストマーの加硫の促進剤として作用することができる任意の化合物、特にチアゾールタイプの促進剤及びその誘導体及びチウラム及び亜鉛ジチオカルバメートタイプの促進剤が使われ得る。これらの促進剤は、より好ましくは2-メルカプトベンゾチアジルジスルフィド(「MBTS」と略記される)、N-シクロヘキシル-2-ベンゾチアゾールスルフェンアミド(「CBS」と略記される)、N,N-ジシクロヘキシル-2-ベンゾチアゾールスルフェンアミド(「DCBS」と略記される)、N-(tert-ブチル)-2-ベンゾチアゾールスルフェンアミド(「TBBS」と略記される)、N-(tert-ブチル)-2-ベンゾチアゾールスルフェンイミド(「TBSI」と略記される)、亜鉛ジベンジルジチオカルバメート(「ZBEC」と略記される)及びこれらの化合物の混合物からなる群より選ばれる。好ましくは、スルフェンアミドタイプの一次促進剤が用いられる。
このようにして得られた最終組成物は、引き続き、例えばシート又は薄いプレートの形で、特に実験室的特性決定のためにカレンダー加工されるか、又は、例えばトレッドの製造に用いられるゴム形状要素を形成するために押出され得る。
本発明は、上記のタイヤ、生状態(すなわち、キュアリング前)とキュア状態(すなわち、架橋又は加硫後)双方に関する。
【００２７】
III - 本発明の実施例
III.1 - 組成物の調製
以下の試験は、下記のようにして行われる: ジエンエラストマー(E-SBR、BR及び必要により第3のジエンエラストマー)、無機補強充填剤、可塑化系及び他の各種成分を、加硫系を除いて密閉型ミキサーに導入し(最終充填度: 約70容積%)、その初期容器温度は約60℃である。次に、熱機械加工(非生産段階)を1段階で行い、165℃の「滴下」最高温度に達するまで合計で3から4分間続ける。
このようにして得られた混合物を回収し、冷却し、次に、硫黄とスルフェンアミドタイプの促進剤を30℃でミキサー(ホモフィニッシャー)に導入し、全てが適切な時間(例えば5と12分の間)混合される(生産段階)。このようにした得られた組成物を引き続きトレッドの形に押出す。
【００２８】
III.2 - タイヤについての走行試験
以下の試験の目的は、従来のタイヤと比較して、本発明の乗用車用のタイヤのウェットグリップ及び耐摩耗性の改善を証明することである。
これのために、トレッド用の4つのゴム組成物を本発明の1つ(以下にC.3と表示する)と本発明でない3つ(以下に対照組成物をC.1及びC.2と表示し、本発明でない組成物C.4と表示する)を上で示したように調製した。これらの配合物(phrで表す)を添付の表1に示す。
組成物C.1は、乗用車用の(低転がり抵抗を有する)「グリーンタイヤ」のトレッドに使用し得る溶液SBR(SSBR)及びBRをベースとする第1の対照組成物である。第2の対照組成物C.2において、無機補強充填剤及び可塑化系の含量を本発明の組成物C.3と同じレベルまで増加したが、エラストマーマトリックス(SSBR及びBR)は変えなかった。
本発明の組成物C.3は、対照組成物C.1及びC.2と異なり、60phrの溶液SBRを本発明の高トランス含量を有する60phrのエマルジョンSBRで置き換えている。組成物C.3は、BR及びエマルジョンSBRをベースとする。
組成物C.4は、組成物C.3と比較して、10phrのBRの代わりに10phrの天然ゴム(NR)、すなわち30phrのBRを含み; 従って、組成物C.4は本発明ではない。
組成物C.1〜C.4は全て、高含量の無機補強充填剤(100又は120phr)及び全可塑化系(55から80phrまで)に特徴を有する。ここで用いられる可塑化系は、熱可塑性炭化水素樹脂(C5/C9樹脂)及びTDAE油の混合物である。
項Iに示されるように、組成物C.1〜C.4をベースとするトレッドを含むそれぞれT.1〜T.4と表示されるタイヤをウェットグリップの試験並びに転がり抵抗及び耐摩耗性の測定に供するために乗用車に装着した。これらのタイヤに実施した試験の結果を表2にまとめる。
まず第一に、本発明のタイヤT.3、すなわちトレッドが高トランス含量を有する35から65phrまでのE-SBR及び35から65phrまでのBRを高含量の無機充填剤及び可塑剤と組み合わせてベースとするゴム組成物を含むタイヤT.3の濡れた路面に対するブレーキ距離が、対照タイヤT.1及びT.2よりも著しく短いことがわかる(評価指数は10%だけ増加した)。従って、そのようなトレッドは、タイヤのウェットグリップを非常に改善することを可能にする。
更にまた、タイヤT.3のトレッドの耐摩耗性は、対照タイヤT.1及びT.2よりも大きいが、トレッドがE-SBR及びBRを明らかに含むが本発明によって推奨されるBR含量を範囲外で含むタイヤT.4よりも大きい。
最後に、転がり抵抗試験の関連において、本発明のタイヤT.3が対照タイヤT.1及びT.2に等しいか又は非常にわずかに大きい転がり抵抗を示すことがわかる。
結論として、これらの試験の結果は、高含量の無機補強充填剤及び可塑剤の存在下に、高トランス含量を有するエマルジョンSBR及び推奨された含量のBRのトレッドの使用が、実質的に転がり抵抗を損なわずに、「グリーンタイヤ」組成物と比較して、ウェットグリップが改善され且つ耐摩耗性が改善されたタイヤを得ることを可能にすることを証明している。
【００２９】
表1
2014518912.tif 000003
(1) 41%のスチレン単位及び59%のポリブタジエン単位を有する溶液SBR(含量は乾燥SBRとして表される); ブタジエン部分については、24%の1,2-単位、27%のシス-1,4-単位及び50%のトランス-1,4-単位を有する(Tg = -28℃);
(2) 4.3%の1,2-単位、2.7%のトランス-1,4-単位及び93%のシス-1,4-単位を有するBR(Tg = -106℃);
(3) 解膠された天然ゴム;
(4) エマルジョンSBR(Styron製のBuna SB 1739); 40%のスチレン単位及び60%のブタジエン単位を有する; ブタジエン部分については16%の1,2-単位、14%のシス-1,4-単位及び70%のトランス-1,4-単位; (Tg = 30℃);
(5) シリカ(Degussa製のUltrasil 7000 GR);
(6) シランTESPT(Degussa製のSi69);
(7) カーボンブラックN234(ASTMグレード);
(8) C5/C9樹脂(Exxon製のEscorez ECR-373);
(9) TDAE油(Klaus Dahleke製のVivatec 500);
(10) N-(1,3-ジメチルブチル)-N-フェニルパラフェニレンジアミン(Flexsys製のSantoflex 6-PPD);
(11) ステアリン(Uniqema製のPristerene);
(12) 酸化亜鉛(工業用グレード  Umicore);
(13) DPG = ジフェニルグアニジン(Flexsys製のPerkacit DPG);
(14) N-シクロヘキシル-2-ベンゾチアゾールスルフェンアミド(Flexsys製のSantocure CBS)。
【００３０】
表2
2014518912.tif 000004
【国際調査報告】
2014518912.tif 000005
2014518912.tif 000006
2014518912.tif 000007
2014518912.tif 000008
2014518912.tif 000009
2014518912.tif 000010